(57)【要約】【課題】ペットの飼育を許容する集合住宅建造物の入居者に対してペットに関連するサービスの提供が可能であるとともに、そのサービスを常時提供可能とする。【解決手段】内部で犬や猫等のペットの飼育することを許容する人の住戸２０を一つの建造物内に複数戸有する多階層からなるペット飼育許容集合住宅建造物１０において、該集合住宅建造物の出入り口５０を有する階層にはペットに対するサービス業務を専用で取り扱うためのペット専用サービス店舗住戸３０を設定し、ペット専用サービス店舗住戸３０には、ペットを一時的に預かることのできる設備と、ペット用品やペットフードを販売する等のペットに関連するサービス業務を取り扱うことのできる店舗設備と、これら各設備を取り扱う対応者が居住することのできる居住設備と、を備える。【選択図】図１
0003126811.tif 000002
【実用新案登録請求の範囲】
【請求項１】
内部で犬や猫等のペットの飼育することを許容する人の住戸を一つの建造物内に複数戸有する多階層からなるペット飼育許容集合住宅建造物において、
該集合住宅建造物の出入り口を有する階層にはペットに対するサービス業務を専用で取り扱うためのペット専用サービス店舗住戸が設定されており、
該ペット専用サービス店舗住戸には、ペットを一時的に預かることのできる設備と、ペット用品やペットフードを販売する等のペットに関連するサービス業務を取り扱うことのできる店舗設備と、これら各設備を取り扱う対応者が居住することのできる居住設備と、が少なくとも備えられていることを特徴とするペット飼育許容集合住宅建造物。
【請求項２】
請求項１に記載のペット飼育許容集合住宅建造物であって、
該建造物の屋上には、ペットが自由に遊び回ることのできる広場が設けられていることを特徴とするペット飼育許容集合住宅建造物。
【考案の詳細な説明】
【技術分野】
【０００１】
本考案は、ペット飼育許容集合住宅建造物に関する。
【背景技術】
【０００２】
従来、マンション等の集合住宅ではペットを飼うことが禁止されている場合が多かった。ところが、昨今の少子・核家族化に伴い、ペットを家族の一員とした新しい家族形態が定着しつつあり、集合住宅においてペットを飼うことを希望する入居者はますます増加している。そこで昨今ではペットを飼うことを許可する、いわゆる「ペット可マンション」が徐々に増加している。しかしながら、いわゆる「ペット可マンション」は、単に従来の集合住宅においてペットを飼うことを許可したものが大半であり、ペットを飼うのに適する工夫の施されたものではなかった。
【０００３】
一方、特許文献１には、ペットを飼うのに適するように工夫されたペット同居型集合住宅が開示されている。この特許文献１のペット同居型集合住宅は、集合住宅の入り口付近の共有部にペットの糞の処理設備を備えている。それにより、散歩から持ち帰った入居者が集合住宅の入り口付近でペットの糞の処理をすることができ、自室までペットの糞を持ち帰らなくてよい。
【０００４】
【特許文献１】実用新案公報第３０３３３９２号
【考案の開示】
【考案が解決しようとする課題】
【０００５】
しかしながら、特許文献１のペット同居型集合住宅は、入居者自身がペットの世話をする際の便宜をはかるものであり、入居者に対して積極的にサービスを提供するものではなかった。
【０００６】
そこで、本考案が解決しようとする課題は、ペットの飼育を許容する集合住宅建造物の入居者に対してペットに関連するサービスの提供が可能であるとともに、そのサービスを常時提供可能とすることにある。
【課題を解決するための手段】
【０００７】
本考案は、上記課題を解決するために以下の手段をとる。
第１の考案は、内部で犬や猫等のペットの飼育することを許容する人の住戸を一つの建造物内に複数戸有する多階層からなるペット飼育許容集合住宅建造物において、該集合住宅建造物の出入り口を有する階層にはペットに対するサービス業務を専用で取り扱うためのペット専用サービス店舗住戸が設定されており、該ペット専用サービス店舗住戸には、ペットを一時的に預かることのできる設備と、ペット用品やペットフードを販売する等のペットに関連するサービス業務を取り扱うことのできる店舗設備と、これら各設備を取り扱う対応者が居住することのできる居住設備と、が少なくとも備えられていることを特徴とするペット飼育許容集合住宅建造物である。
【０００８】
この第１の考案のペット飼育許容集合住宅建造物によれば、先ず、ペットに対するサービス業務を専用で取り扱うためのペット専用サービス店舗住戸が設定されていることにより、人の住戸に居住する入居者に対して積極的にペットに対するサービス業務の提供が可能である。
次に、ペット専用サービス店舗住戸にペットを一時的に預かることのできる設備を備えていることにより、入居者に対してペットを一時的に預かるサービスの提供が可能である。
次に、ペット専用サービス店舗住戸にペットに関連するサービス業務を取り扱うことのできる店舗設備を備えていることにより、入居者に対してペットに関連するサービスの提供が可能である。
次に、ペット専用サービス店舗住戸内にペットを一時的に預かることのできる設備およびペットに関連するサービス業務を取り扱う対応者が居住することのできる居住設備を備えていることにより、居室設備に対応者が常駐することが可能である。対応者が常駐することにより、入居者に対してペットを一時的に預かるサービス及びペットに関連するサービスを常時提供することも可能となる。
次に、ペット専用サービス店舗住戸がその集合住宅建造物の出入り口を有する階層に設けられていることにより、入居者は出入りの際にペット専用サービス店舗住戸に気軽に立ち寄ることができ、ペットに対するサービスを受けることができる。また、ペット専用サービス店舗住戸で、この集合住宅建造物の入居者のみならず外部の顧客に対してサービスを提供する場合も、その集合住宅建造物の出入り口を有する階層にペット専用サービス店舗住戸が設けられているため、外部の顧客も気軽に立ち寄ることができる。
【０００９】
第２の考案は、上記第１の考案に記載のペット飼育許容集合住宅建造物であって該建造物の屋上には、ペットが自由に遊び回ることのできる広場が設けられていることを特徴とするペット飼育許容集合住宅建造物である。この広場は一般にドッグランと称されるものである。
【００１０】
この第２の考案のペット飼育許容集合住宅建造物によれば、屋上にペットが自由に遊びまわることのできる広場が設けられていることにより、入居者はその集合住宅建造物の外に出ることなくペットを遊ばせたり運動させたりすることができる。
【考案の効果】
【００１１】
本考案のペット飼育許容集合住宅建造物によれば、入居者に対してペットに関連するサービスの提供が可能であるとともに、そのサービスを常時提供し得る。
【考案を実施するための最良の形態】
【００１２】
以下、本考案を実施するための最良の形態について図面を参照しながら説明する。なお、本実施形態は、集合住宅建造物がいわゆるマンションと称される建造物の場合である。
図１に示すように、マンション１０は、４階層からなる集合住宅建造物であり、地上２階部１２、地上３階部１３及び地上４階部１４のそれぞれに人が居住するための住戸（人の住戸）２０を複数戸有している。この人の住戸２０は、住戸内で犬や猫等のペットを飼育することを許容する住戸である。マンション１０の地上１階部１１には、このマンション１０の出入り口５０が設けられているとともに、ペットに対するサービス業務を専用で取り扱うためのペット専用サービス店舗住戸３０が設けられている。また、屋上１５には、ペットが自由に遊び回ることのできる広場であるドッグラン４０が設けられている。なお、本考案に係るペットとは、犬や猫に限定されず、うさぎ、ハムスター等の小動物や鳥等、愛玩目的で飼育される種々の動物や鳥を含んでいる。
【００１３】
図２に示すように、ペット専用サービス店舗住戸３０は、ペットホテル設備を有するペットホテル室３２と、ペットに関連するサービス業務を取り扱うことのできる店舗設備を有する店舗室３４と、これら各設備を取り扱う対応者が居住することのできる居住設備を有する居住室３６と、を備えている。ペットホテル室３２のペットホテル設備は、ホテルと称するが、ペットを宿泊させるに限らず、ペットを一時的に預かることのできる設備である。店舗設備を備えた店舗室３４では、ペット用品やペットフードを販売する等のペットに関連する各種のサービス業務を取り扱うことができる。また、このマンション１０では、居住設備を備えた居住室３６に併設して各設備の備品やあるいは対応者自身の荷物を保管することのできる倉庫区画３６ａが設けられている。ペットホテル室３２と、店舗室３４と、居住室３６とは、それぞれ壁で仕切られているものの、扉が設けられており行き来が可能となっている。対応者は、居住室３６からペットホテル室３２へ通じる扉３８ｃを通ってペットホテル室３２へ直接移動することができ、また、居住室３６から店舗室３４へも扉３８ｄを通って直接移動することができる。したがって、対応者は居住室３６で待機していても必要に応じて直ちにペットホテル室３２及び店舗室３４へ移動可能である。尚、戸外からペット専用サービス店舗住戸３０への出入りは、店舗室３４に設けられた出入り口３８ａより可能となっている。ペットホテル室３２へは、店舗室３４から扉３８ｂを通り出入り可能となっている。
【００１４】
店舗設備を備えた店舗室３４で取り扱うペットに関連するサービス業務としては、例えば、ペット用品やペットフードの販売、トリミング、しつけ教室、ペットカウンセリング、サークル運営、イベント企画・運営、ペットシッター紹介、ペット葬儀・霊園紹介、ペット病院の紹介、ペット可宿泊施設の紹介、ペット保険サービス業務、等が挙げられる。
【００１５】
ここで、ペット用品とは、首輪、リード、ゲージ、ペット用の服等のペットを飼うときに使用するもの全般であり、ペットフードとはペット専用の食料品のことである。
トリミングとは、犬や猫等の被毛を整えるペット専用の美容院業務のことであり、被毛のカット、洗毛等のサービスが含まれる。
しつけ教室とは、ペットのしつけを行う、あるいはペットのしつけ方を飼い主に指導するサービスである。また、ペットの飼い主に対してペットを飼う際のマナーなどを指導するサービスも含まれる。
ペットカウンセリングとは、ペットに関するトラブル、しつけ、健康などについて飼い主から相談を受けて助言するサービスである。
サークル運営とは、ペットを飼っている人やペットに興味のある人を集めてサークルを作り、サークル活動を運営するサービスである。また、サークル活動を支援したりすることも含まれる。サークル活動としては、例えば、会報誌の発行、イベントの開催、イベントの紹介、ペットカウンセリングなどが挙げられる。
イベント企画・運営とは、ペットのしつけ教室、ペットカウンセリング、ペット同伴旅行ツアー等のペットを主体とする催しを企画して開催するサービスである。
ペットシッター紹介のペットシッターとは、飼い主が不在のとき、留守宅でペットの世話をする人である。
ペットトレーナー紹介のペットトレーナーとはペットの体力作りや、ドッグレース等ペットのスポーツの指導者のことである。
ペット葬儀・霊園紹介とは、ペットの葬儀可能な施設、ペットを火葬可能な施設、ペット用の霊園施設の紹介サービスである。その他にペットの遺体処理や供養に関する種々のサービスも含まれる。
ペット病院の紹介とは、ペットのための医療機関を紹介するサービスのことである。
ペット可宿泊施設の紹介のペット可宿泊施設とは、飼い主がペットとともに宿泊可能な人用のホテルや旅館のことである。
ペット保険サービス業務のペット保険とは、ペットの病気や怪我等を対象とする保険のことである。
なお、このマンション１０の店舗設備３４では、一部にトリミング専用設備を有するトリミングスペース３４ａを備えている。トリミング専用スペース３４ａ以外の部分はフリースペース３４ｂとして設定されており、トリミング以外のペットに関連する様々なサービス業務を行うことができる。
【００１６】
屋上１５に設けられたドッグラン４０とは、犬等のペットが自由に走り回って遊ぶことができる専用の広場である。この広場はペットが遊ぶことのできる平均台、シーソー、ハードル、トンネル等の遊具を設けてもよい。
【００１７】
以上の構成のマンション１０によれば、以下の作用効果を有する。
先ず、ペット専用サービス店舗住戸３０において積極的にペットに対するサービス業務の提供が可能である。
次に、ペットホテル室３２はペットホテル設備を備えていることにより、入居者に対してペットを一時的に預かるサービスの提供が可能である。
次に、店舗室３４はペットに関連するサービスを取り扱うことのできる店舗設備を備えていることにより、入居者に対してペットに関連するサービスの提供が可能である。
次に、居住室３６には居住設備を備えていることにより対応者が常駐することが可能である。対応者が常駐することにより、入居者に対してペットを一時的に預かるサービス及びペットに関連するサービスを常時提供し得る。
次に、ペット専用サービス店舗住戸３０がそのマンション１０の出入り口５０を有する地上１階部１１に設けられていることにより、入居者は出入りの際にペット専用サービス店舗住戸３０に気軽に立ち寄りペットに対するサービス業務を受けることができる。また、このペット専用サービス店舗住戸３０で、このマンション１０の入居者のみならず外部の顧客に対してサービスを提供する場合も、外部の顧客が気軽に立ち寄ることができる。
次に、屋上にドッグラン４０を備えていることにより、マンション１０の外に出なくても入居者は犬等のペットを自由に遊ばせることができる。特に、人通りの多い街中にマンション１０がある場合、戸外へ出て犬をリードで繋いでいたとしても散歩させにくいのが現状である。したがって、マンション１０内にドッグラン４０が備えられていることは入居者にとって大変に有用である。
【図面の簡単な説明】
【００１８】
【図１】マンションの正面図である。
【図２】ペット専用サービス店舗住戸の平面図である。
【符号の説明】
【００１９】
１０  マンション
２０  人の住戸
３０  ペット専用サービス店舗住戸
３２  ペットホテル室
３４  店舗室
３６  居住室
４０  ドッグラン
５０  （マンションの）出入り口
【図１】
0003126811.tif 000003
【図２】
0003126811.tif 000004